(57)【要約】      （修正有）【課題】被加工部材に連続的に目印を描くときに好適な罫書用巻尺を提供する。【解決手段】２個のストッパー９，１０付の巻尺１，２を、目盛帯５，６の目盛面が同一平面となるように組み合わせて固着し、互いに直角方向に目盛帯５，６を引出し及び収納可能とした。また、巻尺１，２の少なくとも何れかの底部に、磁石又は吸盤が設けられていることを特徴とする。【選択図】図２
0003192811.tif 000002
【実用新案登録請求の範囲】
【請求項１】
２個のストッパー付の巻尺を、目盛帯の目盛面が同一平面となるように組み合わせて固定し、互いに直角方向に目盛帯を引出し及び収納可能としたことを特徴とする罫書用巻尺。
【請求項２】
前記巻尺の少なくとも何れかの底部に、磁石又は吸盤が設けられていることを特徴とする請求項１に記載の罫書用巻尺。
【考案の詳細な説明】
【技術分野】
【０００１】  本考案は、被加工部材に罫書線やポンチ孔（以下、目印という）を描くときに用いる罫書用巻尺に関し、特に長尺の被加工部材に、連続的に目印を描くときに好適な罫書用巻尺に関するものである。
【背景技術】
【０００２】  従来、被加工部材に罫書線を描く定規として各種のものが開示されている。例えば、２個の金属製巻尺を互いに直角方向に収納してスケールを構成し、バスダクトコーナー部のＸ、Ｙ方向の寸法を同時に測定できる、２方向同時測定用スケールが開示されている（特許文献１参照。）。【０００３】  また、被加工物に罫書線やポンチ孔を描くのに用いる定規として、短冊状のスケールの目盛に沿って移動自在なジョーが嵌装されており、このジョーと一体の基準面がスケールの目盛と直角に設けられ、ジョーにはスケールの目盛と対応する位置にバーニア目盛が設けられ、ジョーの下面には巻取軸をスケールの面に直角にして金属製巻尺のケースが固着され、この巻尺がスケールの目盛と直交する方向に引出し可能であるけがき定規が開示されている（特許文献２参照。）。
【先行技術文献】
【特許文献】
【０００４】
【特許文献１】  実開平４−１１５００１号公報
【特許文献２】  特開平８−１２８８０１号公報
【考案の概要】
【０００５】
【考案が解決しようとする課題】
【０００６】  特許文献１に開示の２方向同時測定用スケールは、バスダクトコーナー部を１回で寸法測定できるが、被加工部材に載置して巻尺の先端辺に沿って罫書線を正確に引くことが難しいという問題がある。また、特許文献２に開示のけがき定規は、巻尺と直線定規を直角アングルを介して、この巻尺がスケールの目盛と直交する方向に引出し可能としたものであり、巻尺を被加工部材の端面に添えたまま、直線定規は前記被加工部材の表面をスライドさせる構成となっている。したがって、目印をつける場合は、被加工部材の端面で目盛を確認し、次いで前記被加工部材の表面の直線定規の目盛を確認するという２工程が必要となり、作業効率が悪い。また、巻尺と直線定規の目盛が直角となっているので、被加工部材の端面を基準とした罫書作業に限定されるという問題点があった。【０００７】  本考案は、上記課題を解決するためになされたものであり、被加工部材に連続的に目印を描くときに好適な罫書用巻尺を提供することを目的としている。
【課題を解決するための手段】
【０００８】  本考案の請求項１に係る罫書用巻尺は、２個のストッパー付の巻尺を、目盛帯の目盛面が同一平面となるように組み合わせて固定して、互いに直角方向に引出し及び収納可能としたものである。このように構成されているので、一方の巻尺の目盛帯を被加工部材の端部から目印をつける位置まで引き出して固定し、他方の巻尺の目盛帯の先端係止片を前記端部に係止して目盛帯を所望寸法だけ引き出すことにより、容易に目印を付けることができる。また、引続き前記他方の巻尺から目盛帯を所望寸法だけ引き出せば、容易に連続的に目印をつけることができる。【０００９】  本考案の請求項２に係る罫書用巻尺は、前記巻尺の少なくとも何れかの底部に、磁石又は吸盤が設けられている。このように構成されているので、被加工部材が鉄系金属の場合、巻尺が被加工部材に磁着する。また、ステンレスやアルミ合金などの非鉄金属の場合、巻尺が吸着する。これにより、手を離しても巻尺が被加工部材から脱落することがないので、効率良く目印を容易につけることができる。
【考案の効果】
【００１０】  本考案の罫書用巻尺によれば、被加工部材に目印を連続的、かつ、容易につけることができる。また、巻尺には磁石又は吸盤が設けられているので、巻尺から手を離しても脱落することが無いので、効率良く目印を容易につけることができる。
【図面の簡単な説明】
【００１１】
【図１】  本考案の実施形態の一例を示す罫書用巻尺の斜視図である、
【図２】  本考案の実施形態の一例で、目盛帯を引き出した状態を示す罫書用巻尺の斜視図である、
【図３】  本考案の罫書用巻尺の使用状態の一例を示す説明図である、
【図４】  本考案の他の実施形態を示す巻尺の底面図であり、（ａ）は磁石を設けたもの、（ｂ）は吸盤を設けたもの、（ｃ）は磁石と吸盤を設けたものである。
【考案を実施するための形態】
【００１２】  本考案の実施形態について、図面に基づき詳細に説明する。図１は実施形態の一例を示す罫書用巻尺の斜視図、図２は実施形態の一例で、目盛帯を引き出した状態を示す罫書用巻尺の斜視図である。図３は罫書用巻尺の使用状態の一例を示す説明図である、図４は他の実施形態を示す巻尺の底面図であり、（ａ）は磁石を設けたもの、（ｂ）は吸盤を設けたもの、（ｃ）は磁石と吸盤を設けたものである。
【００１３】  図１及び図２において、巻尺Ａ１及び巻尺Ｂ２は一般的な巻尺であり、可撓性を有する材料で形成された目盛帯が回転ドラム（図示しない）に巻回されており、前記目盛帯を巻き取るバネ（図示しない）を内装する前記回転ドラムが、巻尺本体内に設けられた軸（図示しない）に回動自在に軸支されている。前記目盛帯の先端には、被加工部材の端縁等に係止する係止フック７、８が設けられている。また、各巻尺には目盛帯を任意長まで引き出した状態で固定するストッパー９，１０が設けられている。
【００１４】  前記巻尺Ａ１及び巻尺Ｂ２は、それぞれの目盛帯Ａ５，Ｂ６の目盛面が同一平面となるように巻尺本体Ａ３及び巻尺本体Ｂ４の一部を直角に固着している。これにより一方の目盛帯が他方の目盛帯の上面又は下面を直角に交差して、引き出され又は収納される。
【００１５】  図３に基づいて、本考案による罫書用巻尺の使用方法を説明する。２０は被加工部材であり、例えば、鋼鈑である。前記鋼鈑２０の端縁２１からの距離がＹ１、Ｙ２、Ｙ３で、側面２２からの距離がＸの位置に目印２３ａ、２３ｂ、２３ｃ、をつけるには、巻尺Ｂ２の目盛帯Ｂ６の先端にある係止フックＢ８がＸの距離になるまで目盛帯Ｂ６を引き出して、ストッパー１０で固定する。
【００１６】  次に、巻尺Ａ１の目盛帯Ａ５の先端にある係止フックＡ７を、前記鋼鈑２０の端縁２１に係止してＹ１の距離になるまで引き出す。この状態で、巻尺Ｂ２の目盛帯Ｂ６の先端にある係止フックＢ８の位置が目印２３ａである。引き続き、巻尺Ａ１の目盛帯Ａ５をＹ２の距離になるまで引き出す。この状態で、巻尺Ｂ２の目盛帯Ｂ６の先端にある係止フックＢ８の位置が目印２３ｂである。引き続き、巻尺Ａ１の目盛帯Ａ５をＹ３の距離になるまで引き出す。この状態で、巻尺Ｂ２の目盛帯Ｂ６の先端にある係止フックＢ８の位置が目印２３ｃである。なお、巻尺Ａ１の目盛帯Ａ５を引き出す都度、ストッパーＡ９で固定するか否かは、使用者が自由に選択することができる。
【００１７】  前記巻尺Ａ１の目盛帯Ａ５をＹ方向に引き出した状態で、目盛帯Ａ５をストッパーＡ９で固定すると、巻尺Ａ１から手を離すことが可能となる。これにより、巻尺Ａ１から手等を離して別作業ができ非常に便利である。
【００１８】  巻尺Ａ１及び巻尺Ｂ２の目盛帯Ａ５，Ｂ６の長さが各２ｍであれば、Ｘ，Ｙ方向２ｍまで目印をつけることができ、目盛帯Ａ５，Ｂ６が各５ｍであれば、Ｘ，Ｙ方向５ｍまで目印をつけることができる。また、例えば、巻尺Ａ１の目盛帯長を５ｍ、巻尺Ｂ２の目盛帯長を２ｍとするなど、巻尺Ａ１と巻尺Ｂ２の目盛帯長は任意に構成することができる。
【００１９】  図４において、前記巻尺本体Ａ３及び巻尺本体Ｂ４の底面には、磁石１１又は吸盤１２が設けられている。これにより被加工部材である鋼鈑２０が斜め又は垂直方向に置かれた状態で目印を付ける場合でも、巻尺Ａ１，Ｂ２は前記鋼鈑２０に磁着又は吸着できるので、前記鋼鈑面から脱落することが無い。また、ステンレス鋼などの場合は、吸盤付きの巻尺Ａ１，Ｂ２を用いればステンレス鋼面に吸着させることができるので、前記と同様に脱落することがない、更に、図４（ｃ）のように、磁石と吸盤を設けると、広範囲の被加工部材に適用することができる。
【産業上の利用可能性】
【００２０】  本考案の罫書用巻尺は、土木建築業界や機械加工業界において、広く利用することが可能である。
【符号の説明】
【００２１】１  巻尺Ａ
２  巻尺Ｂ
３  巻尺本体Ａ
４  巻尺本体Ｂ
５  目盛帯Ａ
６  目盛帯Ｂ
７  係止フックＡ
８  係止フックＢ
９  ストッパーＡ（ロック機構）
１０  ストッパーＢ（ロック機構）
１１  磁石
１２  吸盤
２０  鋼鈑（被加工部材）
２１  端縁
２２  端面
２３ａ，２３ｂ，２３ｃ  罫書線又はポンチ孔（目印）
【図１】
0003192811.tif 000003
【図２】
0003192811.tif 000004
【図３】
0003192811.tif 000005
【図４】
0003192811.tif 000006